(57)【要約】【課題】熱回収蒸気発生器を予熱するためのシステムおよび方法を提供する。【解決手段】システム１０は、タンク１４および熱交換器１６を含む。タンク１４は、伝達媒体２２を含む。熱交換器１６は、燃焼室２０によって発生する燃焼排ガス１８の流路に配置され、伝達媒体２２が熱交換器１６を通って流れ、燃焼排ガス１８によって加熱されるようにタンク１４に流体接続される。伝達媒体２２は、熱回収蒸気発生器１２の１つ以上の構成要素１４、２４、２６を予熱する。【選択図】図１
2017150807.tif 000002
【特許請求の範囲】
【請求項１】
熱回収蒸気発生器（１２）を予熱するためのシステム（１０）であって、
伝達媒体（２２）を含むタンク（１４）と、
燃焼室（２０）によって発生する燃焼排ガス（１８）の流路に配置される熱交換器（１６）であって、前記伝達媒体（２２）が、前記熱交換器（１６）を通って流れ、前記燃焼排ガス（１８）によって加熱されるように前記タンク（１４）に流体接続される熱交換器（１６）と
を備え、
前記伝達媒体（２２）が、前記熱回収蒸気発生器（１２）の１つ以上の構成要素（１４、２４、２６）を予熱するシステム（１０）。
【請求項２】
前記伝達媒体（２２）が、自然対流および強制対流の少なくとも一方によって前記タンク（１４）と前記熱交換器（１６）との間を流れる、請求項１に記載のシステム（１０）。
【請求項３】
前記タンク（１４）が、蒸発器ドラムであり、前記伝達媒体（２２）が、ドラム水である、請求項１に記載のシステム（１０）。
【請求項４】
前記熱回収蒸気発生器（１２）の前記１つ以上の構成要素（１４、２４、２６）が、１つ以上の圧力部を含む、請求項１に記載のシステム（１０）。
【請求項５】
前記熱回収蒸気発生器（１２）が、前記１つ以上の構成要素（１４、２４、２６）が前記伝達媒体（２２）によって予熱された後に前記燃焼排ガス（１８）から熱エネルギーを回収するように構成される、請求項１に記載のシステム（１０）。
【請求項６】
前記熱回収蒸気発生器（１２）が、複合サイクル発電プラント（４６）の二次発電機であり、前記熱回収蒸気発生器（１２）の前記１つ以上の構成要素（１４、２４、２６）が、前記複合サイクル発電プラント（４６）が複合サイクルモードのときは前記燃焼排ガス（１８）にさらされ、前記熱回収蒸気発生器（１２）の前記１つ以上の構成要素（１４、２４、２６）が、前記複合サイクル発電プラント（４６）が単純サイクルモードのときは燃焼排ガス（１８）にさらされない、請求項５に記載のシステム（１０）。
【請求項７】
前記複合サイクル発電プラント（４６）が、前記単純サイクルモードのとき、バイパススタック（５０）が、流路の一部を形成し、前記燃焼排ガス（１８）が前記熱回収蒸気発生器（１２）をバイパスすることを可能にし、さらに、前記熱交換器（１６）が、前記バイパススタック（５０）に配置される、請求項６に記載のシステム（１０）。
【請求項８】
熱回収蒸気発生器（１２）を予熱するための方法（５６）であって、
前記熱回収蒸気発生器（１２）に配置されるタンク（１４）に伝達媒体（２２）を含むステップと、
燃焼室（２０）によって発生する燃焼排ガス（１８）の流路に配置される熱交換器（１６）によって前記伝達媒体（２２）を加熱するステップであって、前記熱交換器（１６）が、前記伝達媒体（２２）が前記熱交換器（１６）を通って流れるように前記タンク（１４）に流体接続される、ステップと、
前記伝達媒体（２２）によって前記熱回収蒸気発生器（１２）の１つ以上の構成要素（１４、２４、２６）を予熱するステップと
を含む方法（５６）。
【請求項９】
前記伝達媒体（２２）が、自然対流および強制対流の少なくとも一方によって前記タンク（１４）と前記熱交換器（１６）との間を流れる、請求項８に記載の方法（５６）。
【請求項１０】
前記熱回収蒸気発生器（１２）の前記１つ以上の構成要素（１４、２４、２６）が、１つ以上の圧力部を含む、請求項８に記載の方法（５６）。
【請求項１１】
前記熱回収蒸気発生器（１２）が、前記燃焼排ガス（１８）から熱エネルギーを回収するように構成される、請求項８に記載の方法（５６）。
【請求項１２】
前記熱回収蒸気発生器（１２）が、複合サイクル発電プラント（４６）の二次発電機であり、
複合サイクルモードで前記複合サイクル発電プラント（４６）を動作させるステップであって、前記熱回収蒸気発生器（１２）の前記１つ以上の構成要素（１４、２４、２６）が、前記燃焼排ガス（１８）にさらされるステップ、および
単純サイクルモードで前記複合サイクル発電プラント（４６）を動作させるステップであって、前記熱回収蒸気発生器（１２）の前記１つ以上の構成要素（１４、２４、２６）が、前記燃焼排ガス（１８）にさらされないステップ
をさらに含む、請求項１１に記載の方法（５６）。
【請求項１３】
前記複合サイクル発電プラント（４６）が、前記単純サイクルモードのとき、バイパススタック（５０）が、流路の一部を形成し、前記燃焼排ガス（１８）が前記熱回収蒸気発生器（１２）をバイパスすることを可能にし、さらに、前記熱交換器（１６）が、前記バイパススタック（５０）に配置される、請求項１２に記載の方法（５６）。
【請求項１４】
複合サイクル発電プラント（４６）の熱回収蒸気発生器（１２）を予熱するためのシステム（１０）であって、
前記熱回収蒸気発生器（１２）に配置される、ドラム水（２２）を含む蒸発器ドラム（１４）であって、前記熱回収蒸気発生器（１２）が、前記複合サイクル発電プラント（４６）が複合サイクルモードのときに、前記複合サイクル発電プラント（４６）の一次発電機（４８）によって発生する燃焼排ガス（１８）から熱エネルギーを回収するように構成される蒸発器ドラム（１４）と、
前記複合サイクル発電プラント（４６）のバイパススタック（５０）に配置される、前記蒸発器ドラム（１４）に流体接続される熱交換器（１６）と
を備え、
前記複合サイクル発電プラント（４６）が、単純サイクルモードのとき、前記ドラム水（２２）が、前記熱交換器（１６）を通って流れ、前記バイパススタック（５０）が、前記燃焼排ガス（１８）が、前記熱回収蒸気発生器（１２）をバイパスし、前記熱交換器（１６）を通って流れるドラム水（２２）を加熱することを可能にし、前記熱回収蒸気発生器（１２）の１つ以上の圧力部（１４、２４、２６）が、前記複合サイクル発電プラント（４６）が前記複合サイクルモードのときに前記１つ以上の圧力部（１４、２４、２６）が前記燃焼排ガス（１８）にさらされる前に前記ドラム水（２２）によって予熱されるシステム（１０）。
【請求項１５】
前記熱交換器（１６）が、前記複合サイクル発電プラント（４６）が前記複合サイクルモードのときは前記蒸発器ドラム（１４）から流体分離される、請求項１４に記載のシステム（１０）。
【発明の詳細な説明】
【技術分野】
【０００１】
本発明の実施形態は、一般に、発電に関し、より具体的には、熱回収蒸気発生器を予熱するためのシステムおよび方法に関する。
【背景技術】
【０００２】
熱回収蒸気発生器（「ＨＲＳＧ：ｈｅａｔ  ｒｅｃｏｖｅｒｙ  ｓｔｅａｍ  ｇｅｎｅｒａｔｏｒ」）は、燃料の燃焼によって発生する燃焼排ガスまたは回収可能な熱エネルギーを含む任意の他のガスおよび／もしくはプラズマなどの熱含有媒体から熱エネルギーを回収する装置である。多くのＨＲＳＧは、熱含有媒体に１つ以上の構成要素（一般的には、蒸発器および／または過熱器などの加圧部／圧力部）をさらすことによって熱含有媒体から熱を回収する。このようなＨＲＳＧにおいて、蒸発器は、熱含有媒体から熱エネルギーの一部を吸収／回収することによって蒸気を生成する。次に、過熱器は、熱含有媒体からさらなる熱エネルギーを吸収／回収することによって、生成された蒸気を乾燥させる。次に、乾燥された蒸気は、一般的には蒸気消費装置（例えば、電力を生成するための蒸気タービン（ｓｔｅａｍ  ｐｏｗｅｒｅｄ  ｔｕｒｂｉｎｅ））に供給される。
【０００３】
多くの発電プラント（複合サイクル発電プラントとして知られる）は、多くの場合、一次発電機によって発生する燃焼排ガスから熱エネルギーを回収するためにＨＲＳＧを使用する。次に、回収された熱エネルギーは、タービンに動力を供給するために使用され、その結果、タービンは、二次発電機に動力を供給する。このような複合サイクル発電プラントは、一般的には２つの動作モード（単純サイクルおよび複合サイクル）を有する。単純サイクルモード中、ＨＲＳＧは、「オフライン」であり、蒸気を生成せず、一次発電機によって発生する燃焼排ガスは、一般的には、加圧部が燃焼排ガスにさらされないようにバイパススタックによってＨＲＳＧの周りを迂回される。複合サイクルモード中、ＨＲＳＧは、「オンライン」である。すなわち、燃焼排ガスは、蒸気を生成するためにＨＲＳＧに誘導され、加圧部は、燃焼排ガスにさらされる。
【０００４】
しかしながら、このような発電プラントにおいて、多くの場合、ＨＲＳＧの加圧部（特に、蒸発器および過熱器）は、単純サイクルモードから複合サイクルモードへの移行中に、加圧部と燃焼排ガスとの温度差に起因して熱応力を受ける。このような熱応力は、多くの場合、加圧部（とりわけ、厚壁を有する加圧部）の耐用年数を低下させる。加圧部が受ける熱応力は、多くの場合、複合サイクル発電プラントの、単純サイクルモードから複合サイクルモードへの移行中に最大となる（特に、ＨＲＳＧが長期間にわたってオフラインであって、加圧部が周囲温度に冷却されている場合に）。
【０００５】
したがって、単純サイクルモードから複合サイクルモードへの移行中の熱応力を低減するために、一部の複合サイクル発電プラントは、燃焼排ガスをＨＲＳＧに徐々に導入することによって加圧部を調整する。しかしながら、燃焼排ガスをＨＲＳＧに徐々に導入することは、このような複合サイクル発電プラントが最大運転出力（ｆｕｌｌ  ｏｐｅｒａｔｉｏｎａｌ  ｃａｐａｃｉｔｙ）に達するのを遅延させる。さらに、導入される燃焼排ガスは、一般的には、加圧部を大幅に上回る温度を有するため、燃焼排ガスをＨＲＳＧに徐々に導入することは、依然として加圧部に熱応力を発生させ得る。
【０００６】
上記の点から、必要とされるのは、熱回収蒸気発生器を予熱するためのシステムおよび方法である。
【先行技術文献】
【特許文献】
【０００７】
【特許文献１】国際公開第２０１５／１６５６６８号
【発明の概要】
【０００８】
実施形態において、熱回収蒸気発生器を予熱するためのシステムが提供される。システムは、タンクおよび熱交換器を含む。タンクは、伝達媒体を含む。熱交換器は、燃焼室によって発生する燃焼排ガスの流路に配置され、伝達媒体が熱交換器を通って流れ、燃焼排ガスによって加熱されるようにタンクに流体接続される。伝達媒体は、熱回収蒸気発生器の１つ以上の構成要素を予熱する。
【０００９】
別の実施形態において、熱回収蒸気発生器を予熱するための方法が提供される。本方法は、熱回収蒸気発生器に配置されるタンクに伝達媒体を含むステップを含む。本方法は、燃焼室によって発生する燃焼排ガスの流路に配置される熱交換器によって伝達媒体を加熱するステップをさらに含み、この場合、熱交換器は、伝達媒体が熱交換器を通って流れるようにタンクに流体接続される。本方法は、伝達媒体によって熱回収蒸気発生器の１つ以上の構成要素を予熱するステップをさらに含む。
【００１０】
さらに別の実施形態において、複合サイクル発電プラントの熱回収蒸気発生器を予熱するためのシステムが提供される。システムは、蒸発器ドラムおよび熱交換器を含む。蒸発器ドラムは、熱回収蒸気発生器に配置され、ドラム水を含む。熱回収蒸気発生器は、複合サイクル発電プラントが複合サイクルモードのときに、複合サイクル発電プラントの一次発電機によって発生する燃焼排ガスから熱エネルギーを回収するように構成される。熱交換器は、複合サイクル発電プラントのバイパススタックに配置され、蒸発器ドラムに流体接続される。複合サイクル発電プラントが、単純サイクルモードのとき、ドラム水は、熱交換器を通って流れ、バイパススタックは、燃焼排ガスが、熱回収蒸気発生器をバイパスして、熱交換器を通って流れるドラム水を加熱することを可能にし、熱回収蒸気発生器の１つ以上の圧力部は、複合サイクル発電プラントが複合サイクルモードのときに１つ以上の圧力部が燃焼排ガスにさらされる前にドラム水によって予熱される。
【００１１】
本発明は、以下のような添付図面を参照して非限定的な実施形態に関する以下の説明を検討することによってより良く理解される。
【図面の簡単な説明】
【００１２】
【図１】本発明の実施形態に係る、熱回収蒸気発生器を予熱するためのシステムの概略図である。
【図２】熱回収蒸気発生器が複合サイクル発電プラントの二次発電機である、図１のシステムの別の概略図である。
【図３】本発明の実施形態に係る図１のシステムを利用して熱回収蒸気発生器を予熱するための方法を描いているフローチャートである。
【発明を実施するための形態】
【００１３】
以下では、本発明の例示的な実施形態を詳細に参照する。その例は、添付図面に示されている。可能な限り、図面を通して使用される同じ参照符号によって、重複した説明なしに同じまたは類似の部分が示されている。
【００１４】
本明細書で使用される場合、用語「実質的に」、「概ね」、および「約」は、構成要素またはアセンブリの機能の目的を達成するのに適した理想的な所望の条件に対して、合理的に達成可能な製造および組み立ての許容範囲内の条件を示している。本明細書で使用される場合、「電気的に結合される」、「電気的に接続される」、「電気通信」は、言及された要素が、電流が一方から他方に流れ得るように直接的または間接的に接続されることを意味する。接続は、直接導電接続（すなわち、容量素子、誘導素子、もしくは能動素子を介在させない）、誘導接続、容量接続、および／または任意の他の適切な電気接続を含んでもよい。介在する構成要素が存在してもよい。同様に本明細書で使用される場合、用語「流体接続される」は、言及された要素が、流体（液体、ガス、および／またはプラズマを含む）が一方から他方に流れ得るように接続されることを意味する。したがって、用語「上流」および「下流」は、本明細書で使用される場合、言及された要素の間および／または近傍を流れる流体の流路に関する言及された要素の位置について説明している。さらに本明細書で使用される場合、用語「「予熱する」は、１つ以上の構成要素が熱含有媒体の持続的な動作負荷にさらされる前に（すなわち、ＨＲＳＧが、通常動作に従って蒸気を生成する前に）ＨＲＳＧの１つ以上の構成要素を加熱することを意味する。さらに、本明細書で使用される場合、用語「充填する」は、完全にあるいは不完全に収容物に充填物を充填することを含む。
【００１５】
さらに、本明細書に開示されている実施形態は、熱回収蒸気発生器に関して説明されているが、本発明の実施形態が、１つ以上の構成要素が熱含有媒体への構成要素の曝露によって生じる熱応力に起因する損傷のリスクを有する装置および／または工程に同様に適用可能であることが理解されるべきである。したがって、本明細書に開示されている実施形態の多くが、複合サイクル発電プラントとの関連で熱回収蒸気発生器について説明しているが、本発明の実施形態は、複合サイクル発電プラント以外の用途の熱回収発生器（蒸気を伴う場合もあれば伴わない場合もある）にも同様に適用可能であることがさらに理解されるべきである。
【００１６】
したがって、図１を参照すると、熱回収蒸気発生器１２を予熱するためのシステム１０は、タンク１４、および燃焼室２０によって発生する燃焼排ガス１８の流路に配置される熱交換器１６を含む。タンク１４は、伝達媒体２２を含み、熱交換器１６は、伝達媒体２２が熱交換器１６を通って流れ、燃焼排ガス１８によって加熱されるように１つ以上の導管２３によってタンク１４に流体接続される。伝達媒体２２は、１つ以上の構成要素１４、２４、２６が、ＨＲＳＧ１２が熱エネルギーを回収する熱含有媒体２８にさらされる前にＨＲＳＧ１２の１つ以上の構成要素１４、２４、２６を加熱する。実施形態において、燃焼排ガス１８は、熱含有媒体２８であってもよい。
【００１７】
伝達媒体２２によって１つ以上の構成要素１４、２４、２６を加熱することは、熱含有媒体２８への曝露によって１つ以上の構成要素１４、２４、２６に生じる熱応力の量および／または大きさが低減されるように１つ以上の構成要素１４、２４、２６を調整する。本明細書で使用される場合、構成要素１４、２４、２６を調整することは、構成要素１４、２４、２６の温度を、熱含有媒体２８への構成要素１４、２４、２６の曝露前に熱含有媒体２８の温度の特定の量／範囲／熱距離内にすることを意味する。実施形態において、システム１０は、少なくとも１つのプロセッサ／ＣＰＵ３２および予熱プログラム／予熱アプリケーションを記憶するメモリ装置３３を有するコントローラ３０をさらに含んでもよい。コントローラ３０は、ＨＲＳＧ１２に配置されてもよく、および／またはコントローラ３０がシステム１０の様々な構成要素と通信するように配置されてもよい。実施形態において、熱交換器１６は、１つ以上の弁２７、２９によってタンク１４に／から流体接続および／または流体分離されてもよい。
【００１８】
１つ以上の構成要素１４、２４、２６は、タンク１４、蒸発器２４、および過熱器２６を含んでもよい。実施形態において、１つ以上の構成要素１４、２４、２６は、１つ以上の加圧部／圧力部１４、２４、２６であってもよい／１つ以上の加圧部／圧力部１４、２４、２６を含んでもよい。本明細書で使用される場合、用語「圧力部」および「加圧部」は、伝達媒体２２および／または熱含有媒体２８を含む加圧媒体（例えば、蒸気、燃焼排ガス、および／または他の加圧媒体）を含むＨＲＳＧ１２（または同様の装置）の構成要素を意味する。加圧部１４、２４、２６は、厚壁を有してもよい。
【００１９】
実施形態において、蒸発器２４および過熱器２６は、加圧部であってもよい。例えば、このような実施形態において、熱含有媒体２８は、蒸発器２４および過熱器２６が、熱含有媒体２８と熱接触する（例えば、１つ以上の構成要素２４、２６が、熱含有媒体２８にさらされる）ようにＨＲＳＧ１２のダクト３４を通して送られてもよい。本明細書で使用される場合、用語「熱接触」は、言及された対象が、熱／熱エネルギーを互いの間で伝達し得るように互いに近接することを意味する。熱含有媒体２８と熱接触するとき、蒸発器２４は、熱含有媒体２８から熱エネルギーを吸収することによって作動媒体３６（一般的には蒸発器２４内に含まれる）をガス／蒸気に変換する。図１に示されているように、実施形態において、伝達媒体２２（構成要素１４、２４、２６が熱含有媒体２８にさらされる前に１つ以上の構成要素１４、２４、２６を加熱するために使用される）および作動媒体３６は同じものであってもよい。しかしながら、他の実施形態において、伝達媒体２２は、作動媒体３６と異なってもよいことが理解されるべきである。
【００２０】
蒸発器２４によってガスに変換されたら、次に、作動媒体３６は、過熱器２６に送られ、過熱器２６は、熱含有媒体２８からさらなる熱エネルギーを吸収することによって作動媒体３６のガス／蒸気を「乾燥させる」。矢印３８に示されているように、作動媒体３６は、熱消費装置および／または熱消費工程（例えば、蒸気タービン発電機）に送られる。
【００２１】
タンク１４は、蒸発器２４内／上に配置されるおよび／または蒸発器２４に組み込まれる蒸発器ドラムであってもよい。熱交換器１６は、熱交換器１６が燃焼排ガス１８から熱エネルギーを吸収することによって伝達媒体２２を加熱するように燃焼排ガス１８と熱接触するよう構成される。実施形態において、熱交換器１６のサイズは比較的小さくてもよい。例えば、実施形態において、熱交換器１６は、コイルであってもよい。実施形態において、伝達媒体２２は、自然対流によってタンク１４と熱交換器１６との間を流れてもよい。他の実施形態において、１つ以上のポンプ４０が、強制対流によってタンク１４と熱交換器１６との間で伝達媒体２２を循環させるために使用されてもよい。さらに、他の形態の対流（重力対流など）が、タンク１４と熱交換器１６との間で伝達媒体２２を循環させるために使用されてもよい。
【００２２】
流路１８は、燃焼室２０から熱交換器１６を通って延び、燃焼排ガス１８の流れを誘導することが可能な１つ以上の導管、管、および／または他の装置によって形成されてもよい。実施形態において、流路１８は、多数のおよび／または別々の通路４２、４４に分けられてもよく、この場合、少なくとも１つの通路４２は、熱交換器１６に通じ、別の通路４４は、ＨＲＳＧ１２のダクト３４に通じる。
【００２３】
燃焼室２０は、燃焼排ガス１８を発生させる／生成する。実施形態において、燃焼室２０は、燃料を燃焼させることによって燃焼排ガス１８を発生させてもよい。しかしながら、燃焼室２０は、他の化学的工程（例えば、電気分解および／または加熱ガスを発生させる他の化学的手段）によって燃焼排ガス１８を発生させてもよいことが理解されるべきである。実施形態において、燃焼室２０は、伝達媒体２２を加熱するために燃焼排ガス１８を供給することに加えて工程（例えば、発電、物質調整、ならびに／または他の産業用途、医療用途、および／もしくは家庭用途）のために熱を供給してもよい。このような実施形態において、燃焼排ガス１８は、排ガスであってもよい。例えば、燃焼室２０は、発電機および／または他の産業工程のために熱を供給してもよい。伝達媒体２２を加熱するために燃焼排ガス１８および／または熱を単純に供給すること以外の目的を果たす、燃焼室２０の燃焼排ガス１８を使用することによって、システム１０は、熱交換器１６により、ＨＲＳＧ１２の全体効率を向上させる。ＨＲＳＧ１２の効率は、燃焼排ガス１８が、ＨＲＳＧ１２が熱エネルギーを回収する熱含有媒体２８である場合にとりわけ向上する。
【００２４】
例えば、図２に示されているように、ＨＲＳＧ１２は、複合サイクル発電プラント４６の二次発電機であってもよい。このような実施形態において、燃焼室２０は、複合サイクル発電プラント４６の一次発電機４８のための熱および／または動力を発生させてもよい。例えば、燃焼室２０は、電力を生成するガス燃焼タービン４８であってもよく、ＨＲＳＧ１２は、ガス燃焼タービン４８によって発生する燃焼排ガス１８の熱エネルギーの一部分および／または大部分を得ることによって複合サイクル発電プラント４６の全体効率を向上させるように構成されてもよい。
【００２５】
実施形態において、複合サイクル発電プラント４６は、２つのモード、すなわち、単純サイクルモード（図１に示されている）および複合サイクルモード（図２に示されている）で動作してもよい。複合サイクルモードにおいて、ＨＲＳＧ１２は、「オンライン」であり、この場合、燃焼室２０によって発生する燃焼排ガス１８は、１つ以上の構成要素１４、２４、２６によって燃焼排ガス１８（すなわち、燃焼排ガス１８は熱含有媒体２８である）に含まれる熱エネルギーの一部分および／または大部分を回収するＨＲＳＧ１２にダクト３４によって供給される。単純サイクルモードにおいて、ＨＲＳＧ１２は、「オフライン」であり、１つ以上の構成要素１４、２４、２６によって燃焼排ガス１８から熱エネルギーを回収しない。すなわち、燃焼排ガス１８は、依然として熱含有媒体２８ではあるが、蒸発器２４および過熱器２６は、蒸気を生成するために使用されない。
【００２６】
しかしながら、このような実施形態において、複合サイクル発電プラント４６が、単純サイクルモードのとき、燃焼排ガス１８は、１つ以上の構成要素１４、２４、２６が燃焼排ガス１８にさらされないようにＨＲＳＧ１２の１つ以上の構成要素１４、２４、２６から遠くに迂回されてもよい。すなわち、単純サイクルモードでは、燃焼排ガス１８は、図１に示されているように、点線／通路４４ではなく実線／通路４２を辿り、複合サイクルモードでは、燃焼排ガス１８は、図２に示されているように、点線／通路４２ではなく実線／通路４４を辿る。このような実施形態において、複合サイクル発電プラント４６は、流路１８の一部を形成し、燃焼排ガス１８がＨＲＳＧ１２をバイパスする（すなわち、ＨＲＳＧ１２の周りを流れる）ことを可能にするバイパススタック５０を含んでもよい。複合サイクル発電プラント４６がバイパススタック５０を有する実施形態において、１つ以上の弁（図２の５２、５４）は、バイパススタック５０が、単純サイクルモードでは流路１８の一部を形成する一方で、複合サイクルモードでは流路１８の一部を形成しないように流路１８を変更してもよい。認められ得るように、弁５２、５４は可変であってもよい。すなわち、バイパススタック５０に迂回される燃焼排ガス１８の量対ＨＲＳＧ１２に送られる燃焼排ガス１８／熱含有媒体２８の量は変えられてもよく、および／またはデジタルであってもよい（すなわち、弁５２、５４は、燃焼排ガス１８のすべてをバイパススタック５０またはＨＲＳＧ１２のどちらか一方のみに誘導してもよい）。
【００２７】
次に図３を参照すると、システム１０によってＨＲＳＧ１２を予熱するための方法５６が示されている。認められ得るように、実施形態において、メモリ装置３３に記憶された予熱アプリケーションは、コントローラ３０が予熱アプリケーションによって方法５６の全部または一部を実行するように適合されるよう少なくとも１つのプロセッサ／ＣＰＵ３２にロードされてもよい。図３に見られ得るように、方法５６は、タンク１４に伝達媒体２２を含むステップ５８と、熱交換器１６によって伝達媒体２２を加熱するステップ６０と、１つ以上の構成要素１４、２４、２６が、ＨＲＳＧ１２が熱エネルギーを回収する熱含有媒体２８にさらされる前に伝達媒体２２によってＨＲＳＧ１２の１つ以上の構成要素１４、２４、２６を予熱するステップ６２とを含む。
【００２８】
上述したように、ＨＲＳＧ１２は、複合サイクル発電プラント４６の二次発電機であってもよい。このような実施形態において、方法５６は、単純サイクルモードで複合サイクル発電プラント４６を動作させるステップ６４および複合サイクルモードで複合サイクル発電プラント４６を動作させるステップ６６をさらに含んでもよい。他の実施形態において、方法５６は、単純サイクルモードから複合サイクルモードに複合サイクル発電プラント４６を移行させるステップ６８をさらに含んでもよい。このような実施形態において、単純サイクルモードから複合サイクルモードに複合サイクル発電プラント４６を移行させるステップ６８は、タンク１４に伝達媒体２２を充填するステップ７０、タンク１４に伝達媒体２２を含むステップ５８、熱交換器１６とタンク１４とを流体接続するステップ７２、伝達媒体２２がタンク１４から熱交換器１６を通って流れることを可能にするステップ７４、熱交換器１６によって伝達媒体２２を加熱するステップ６０、１つ以上の構成要素１４、２４、２６が、ＨＲＳＧ１２が熱エネルギーを回収する熱含有媒体２８にさらされる前に伝達媒体２２によってＨＲＳＧ１２の１つ以上の構成要素１４、２４、２６を予熱するステップ６２、タンク１４から熱交換器１６を流体分離するステップ７６、および／またはＨＲＳＧ１２と一次発電機４８とを流体接続する（すなわち、熱回収運転／蒸気発生のために、一次発電機４８の燃焼室２０によって発生する燃焼排ガス１８をＨＲＳＧ１２に供給する）ステップ７８とを含んでもよい。
【００２９】
したがって、実施形態において、複合サイクル発電プラント４６は、最初は、弁５２、５４がバイパススタック５０によってＨＲＳＧ１２の１つ以上の構成要素１４、２４、２６から遠くに燃焼排ガス１８／熱含有媒体２８を誘導する／迂回させる単純サイクルモードでの動作６４を開始してもよい。したがって、１つ以上の構成要素１４、２４、２６の温度は、一次発電機４８によって発生する燃焼排ガス１８／熱含有媒体２８の温度より低くてもよい。次に、複合サイクル発電プラント４６は、伝達媒体２２（例えば、ドラム水）をタンク１４に充填するステップ７０によって複合サイクルモードに移行させるステップ６８を開始してもよく、これにより、タンク１４は、伝達媒体２２を含む５８。本明細書に開示されている一部の実施形態は、単純サイクルから複合サイクルへの移行６８中にタンク１４に充填するステップ７０を含むが、タンク１４には、移行６８が開始されるかなり前におよび／または一次発電機４８が燃焼排ガス１８の発生を開始する前に伝達媒体２２が充填されてもよいことが理解されるべきである。
【００３０】
タンク１４に充填された７０ら、次に、熱交換器１６が、タンク１４に流体接続され７２、これにより、伝達媒体２２が、熱交換器１６を通って流れることが可能になる７４。伝達媒体２２は、熱交換器１６を通って流れるとき、燃焼排ガス１８から熱エネルギーを吸収することによって加熱される６０／温度上昇する。次に、伝達媒体２２は、構成要素１４、２４、２６が予熱される６２／調整されるように構成要素１４、２４、２６を通って循環される。実施形態において、構成要素１４、２４、２６を予熱するステップ６２／調整するステップは、熱含有媒体２８への曝露によって構成要素１４、２４、２６に生じる熱応力の量／大きさを低減する。認められるように、伝達媒体２２を加熱するステップ６０および１つ以上の構成要素１４、２４、２６を予熱するステップ６２は同時に行われてもよい。例えば、実施形態において、伝達媒体２２は、伝達媒体２２が燃焼排ガス１８から構成要素１４、２４、２６に十分な熱エネルギーを伝達して、構成要素１４、２４、２６が所望の温度（すなわち、熱含有媒体２８への曝露によって構成要素１４、２４、２６に生じる熱応力に起因する損傷のリスクが許容可能な／低減された範囲／量内となる温度）に達するまで何度もタンク１４、熱交換器１６、蒸発器２４、過熱器２６、および／またはＨＲＳＧ１２の他の構成要素を通って循環されてもよい。
【００３１】
構成要素１４、２４、２６が、伝達媒体２２によって十分に調整／予熱された６２ら、熱交換器１６は、タンク１４から流体分離されてもよい７６。実施形態において、タンク１４から熱交換器１６を流体分離するステップ７６によって、熱交換器１６が乾燥する（すなわち、すべての伝達媒体２２が熱交換器１６から除去される）ことになってもよい。熱交換器１６の流体分離７６の後、ＨＲＳＧ１２は、一次発電機４８に流体接続７８および／または再接続され、これにより、構成要素１４、２４、２６は、燃焼排ガス１８／熱含有媒体２８にさらされる。これが行われたら、ＨＲＳＧ１２はオンラインにされ、複合サイクル発電プラント４６は、複合サイクルモードでの動作６６を開始する。
【００３２】
システム１０が、本明細書で説明されている機能を実行するためにおよび／または本明細書で説明されている結果を達成するために必要な電子機器、ソフトウェア、メモリ、ストレージ、データベース、ファームウェア、論理／状態機械、マイクロプロセッサ、通信リンク、ディスプレイもしくは他の視覚または音声ユーザインターフェース、印刷装置、および任意の他の入力／出力インターフェースを含んでもよいことも理解されるべきである。例えば、先に言及したように、システム１０は、少なくとも１つのプロセッサ３２ならびにランダムアクセスメモリ（ＲＡＭ）および読取り専用メモリ（ＲＯＭ）を含んでもよいシステムメモリ３３を含んでもよい。システム１０は、入力／出力コントローラおよび１つ以上のデータストレージ構造をさらに含んでもよい。これらの後者の要素のすべては、上述したようにシステム１０の動作を容易にするために少なくとも１つのプロセッサ３２と通信してもよい。適切なコンピュータプログラムコードが、非常に多くの機能（本明細書に開示されているシステム１０および方法５６に関連して上述したものを含む）を果たすために用意されてもよい。また、コンピュータプログラムコードは、オペレーティングシステム、データベース管理システム、およびシステム１０がコンピュータ周辺機器（例えば、センサ、ビデオディスプレイ、キーボード、コンピュータマウスなど）と接続することを可能にする「デバイスドライバ」などのプログラム要素を含んでもよい。
【００３３】
システム１０の少なくとも１つのプロセッサ３２は、１つ以上の従来のマイクロプロセッサ、および数値演算コプロセッサなどの１つ以上の補助コプロセッサを含んでもよい。互いに通信する要素は、互いに連続的に信号伝達または送信を行う必要はない。それどころか、このような要素は、必要に応じて互いに送信してもよく、特定の時間にデータの交換を控えてもよく、およびそれらの間の通信リンクを確立するためにいくつかのステップを実行させてもよい。
【００３４】
本明細書に述べられているメモリなどのデータストレージ構造は、磁気メモリ、光メモリ、および／または半導体メモリの適切な組み合わせを含んでもよく、また、例えば、ＲＡＭ、ＲＯＭ、フラッシュドライブ、コンパクトディスクなどの光ディスク、および／またはハードディスクもしくはハードドライブを含んでもよい。データストレージ構造は、例えば、システム１０によって必要とされる情報ならびに／またはシステム１０に命令するように適合された１つ以上のプログラム（例えば、予熱アプリケーションなどのコンピュータプログラムコードおよび／もしくは他のコンピュータプログラム製品）を記憶してもよい。プログラムは、例えば圧縮された形式、コンパイルされていない形式、および／または暗号化された形式で記憶されてもよく、また、コンピュータプログラムコードを含んでもよい。コンピュータプログラムコードの命令は、コンピュータ可読媒体からプロセッサのメインメモリに読み出されてもよい。プログラムの命令のシーケンスの実行によって、プロセッサは、本明細書で説明されている工程ステップを実行するが、ハードワイヤード回路が、本発明の工程の実施のためのソフトウェア命令の代わりにまたはこれと組み合わせて使用されてもよい。したがって、本発明の実施形態は、ハードウェアおよびソフトウェアの特定の組み合わせに限定されない。
【００３５】
また、プログラムは、フィールドプログラマブルゲートアレイなどのプログラマブルハードウェア装置、プログラマブルアレイ論理、またはプログラマブル論理装置などとして実施されてもよい。また、プログラムは、様々な種類のコンピュータプロセッサによって実行されるソフトウェアとして実施されてもよい。プログラムの実行可能コードは、例えば、コンピュータ命令の１つ以上の物理ブロックまたは論理ブロックを含んでもよく、これは、例えば、オブジェクト、プロシージャ、プロセス、または関数として構成されてもよい。それにもかかわらず、特定のプログラムの実行可能なものは、物理的に一緒に配置される必要はないが、論理的に結合されたときにプログラムを形成し、プログラムに関して述べた目的（複数のランダム動作を実行することによるプライバシーの保護など）を達成する、異なる場所に記憶された別々の命令を含んでもよい。実施形態において、実行可能コードのアプリケーションは、多くの命令のコンパイルであってもよく、実際のところ異なるプログラムの中のいくつかの異なるコードパーティションまたはコードセグメントおよびいくつかの装置に分散されてもよい。
【００３６】
用語「コンピュータ可読媒体」は、本明細書で使用される場合、実行用の、システム１０の少なくとも１つのプロセッサ３２（または本明細書で説明されている装置の任意の他のプロセッサ）への命令の提供を行うまたは命令の提供に関与する媒体を意味する。このような媒体は、不揮発性媒体および揮発性媒体を含むが、これらに限定されない多くの形態をとってもよい。不揮発性媒体は、例えば、光ディスク、磁気ディスク、または光磁気ディスク（メモリなどの）を含む。揮発性媒体は、一般的にはメインメモリを構成するダイナミックランダムアクセスメモリ（ＤＲＡＭ）を含む。コンピュータ可読媒体の一般的な形態は、例えば、フロッピーディスク、フレキシブルディスク、ハードディスク、磁気テープ、任意の他の磁気媒体、ＣＤ−ＲＯＭ、ＤＶＤ、任意の他の光媒体、ＲＡＭ、ＰＲＯＭ、ＥＰＲＯＭ、もしくはＥＥＰＲＯＭ（電子的消去可能プログラマブル読取り専用メモリ）、フラッシュＥＥＰＲＯＭ、任意の他のメモリもしくはメモリカートリッジ、またはコンピュータが読み取ることができる任意の他の媒体を含む。
【００３７】
様々な形態のコンピュータ可読媒体が、１つ以上の命令の１つ以上のシーケンスを実行用の少なくとも１つのプロセッサに伝送することに関与してもよい。例えば、命令は、最初はリモートコンピュータ（図示せず）の磁気ディスクに記録されていてもよい。リモートコンピュータは、そのダイナミックメモリに命令をロードし、イーサネット（登録商標）接続、ケーブル回線、またはモデムを使用する電話回線を介して命令を送信してもよい。計算装置にローカル接続された通信装置（例えば、サーバ）は、各通信回線でデータを受信し、少なくとも１つのプロセッサ用のシステムバスにデータを配置してもよい。システムバスは、メインメモリにデータを伝送し、メインメモリから、少なくとも１つのプロセッサは、命令を取り出して実行する。メインメモリによって受信された命令は、随意に、少なくとも１つのプロセッサによる実行の前または後にメモリに記憶されてもよい。加えて、命令は、通信ポートを介して電気信号、電磁信号、または光信号（これらは、様々な種類の情報を伝送する無線通信またはデータストリームの例示的な形態である）として受信されてもよい。
【００３８】
上記の説明は、例証のためのものであり、限定的なものではないことがさらに理解されるべきである。例えば、上述した実施形態（および／またはその態様）は、互いに組み合わせて使用されてもよい。さらに、多くの修正が、本発明の範囲から逸脱することなく、本発明の教示に特定の状況または材料を適合させるために行われてもよい。
【００３９】
例えば、実施形態において、熱回収蒸気発生器を予熱するためのシステムが提供される。システムは、タンクおよび熱交換器を含む。タンクは、伝達媒体を含む。熱交換器は、燃焼室によって発生する燃焼排ガスの流路に配置され、伝達媒体が熱交換器を通って流れ、燃焼排ガスによって加熱されるようにタンクに流体接続される。伝達媒体は、熱回収蒸気発生器の１つ以上の構成要素を予熱する。特定の実施形態において、伝達媒体は、自然対流および強制対流の少なくとも一方によってタンクと熱交換器との間を流れる。特定の実施形態において、タンクは、蒸発器ドラムであり、伝達媒体は、ドラム水である。特定の実施形態において、熱回収蒸気発生器の１つ以上の構成要素は、１つ以上の圧力部を含む。特定の実施形態において、１つ以上の圧力部は、蒸発器および過熱器の少なくとも１つを含む。特定の実施形態において、熱回収蒸気発生器は、１つ以上の構成要素が伝達媒体によって予熱された後に燃焼排ガスから熱エネルギーを回収するように構成される。特定の実施形態において、熱回収蒸気発生器は、複合サイクル発電プラントの二次発電機であり、この場合、熱回収蒸気発生器の１つ以上の構成要素は、複合サイクル発電プラントが複合サイクルモードのときは燃焼排ガスにさらされ、熱回収蒸気発生器の１つ以上の構成要素は、複合サイクル発電プラントが単純サイクルモードのときは燃焼排ガスにさらされない。特定の実施形態において、複合サイクル発電プラントが、単純サイクルモードのとき、バイパススタックは、流路の一部を形成し、燃焼排ガスが熱回収蒸気発生器をバイパスすることを可能にし、さらに、熱交換器は、バイパススタックに配置される。特定の実施形態において、熱交換器は、複合サイクル発電プラントが複合サイクルモードのときはタンクから流体分離される。
【００４０】
他の実施形態は、熱回収蒸気発生器を予熱するための方法を実現する。本方法は、熱回収蒸気発生器に配置されるタンクに伝達媒体を含むステップを含む。本方法は、燃焼室によって発生する燃焼排ガスの流路に配置される熱交換器によって伝達媒体を加熱するステップをさらに含み、この場合、熱交換器は、伝達媒体が熱交換器を通って流れるようにタンクに流体接続される。本方法は、伝達媒体によって熱回収蒸気発生器の１つ以上の構成要素を予熱するステップをさらに含む。特定の実施形態において、伝達媒体は、自然対流および強制対流の少なくとも一方によってタンクと熱交換器との間を流れる。特定の実施形態において、タンクは、蒸発器ドラムであり、伝達媒体は、ドラム水である。特定の実施形態において、熱回収蒸気発生器の１つ以上の構成要素は、１つ以上の圧力部を含む。特定の実施形態において、１つ以上の圧力部は、蒸発器および過熱器の少なくとも１つを含む。特定の実施形態において、熱回収蒸気発生器は、燃焼排ガスから熱エネルギーを回収するように構成される。特定の実施形態において、熱回収蒸気発生器は、複合サイクル発電プラントの二次発電機である。このような実施形態において、本方法は、複合サイクルモードで複合サイクル発電プラントを動作させるステップであって、熱回収蒸気発生器の１つ以上の構成要素が、燃焼排ガスにさらされるステップおよび単純サイクルモードで複合サイクル発電プラントを動作させるステップであって、熱回収蒸気発生器の１つ以上の構成要素が燃焼排ガスにさらされないステップをさらに含む。特定の実施形態において、複合サイクル発電プラントが、単純サイクルモードのとき、バイパススタックは、流路の一部を形成し、燃焼排ガスが熱回収蒸気発生器をバイパスすることを可能にし、さらに、熱交換器は、バイパススタックに配置される。特定の実施形態において、複合サイクルモードで複合サイクル発電プラントを動作させるステップは、タンクから熱交換器を流体分離するステップを含む。
【００４１】
さらに他の実施形態は、複合サイクル発電プラントの熱回収蒸気発生器を予熱するためのシステムを実現する。システムは、蒸発器ドラムおよび熱交換器を含む。蒸発器ドラムは、熱回収蒸気発生器に配置され、ドラム水を含む。熱回収蒸気発生器は、複合サイクル発電プラントが複合サイクルモードのときに、複合サイクル発電プラントの一次発電機によって発生する燃焼排ガスから熱エネルギーを回収するように構成される。熱交換器は、複合サイクル発電プラントのバイパススタックに配置され、蒸発器ドラムに流体接続される。複合サイクル発電プラントが、単純サイクルモードのとき、ドラム水は、熱交換器を通って流れ、バイパススタックは、燃焼排ガスが、熱回収蒸気発生器をバイパスして、熱交換器を通って流れるドラム水を加熱することを可能にし、熱回収蒸気発生器の１つ以上の圧力部は、複合サイクル発電プラントが複合サイクルモードのときに１つ以上の圧力部が燃焼排ガスにさらされる前にドラム水によって予熱される。特定の実施形態において、熱交換器は、複合サイクル発電プラントが複合サイクルモードのときは蒸発器ドラムから流体分離される。
【００４２】
したがって、本明細書に開示されている本発明の実施形態は、多くの利点を提供する。例えば、構成要素１４、２４、２６が熱含有媒体２８にさらされる前にＨＲＳＧ１２の１つ以上の構成要素１４、２４、２６を予熱することによって、一部の実施形態は、熱含有媒体２８にさらされるときに構成要素１４、２４、２６に生じる熱応力の量を低減する。したがって、熱含有媒体２８にさらされるときに構成要素１４、２４、２６に生じる熱応力の量を低減することによって、一部の実施形態は、１つ以上の構成要素１４、２４、２６の耐用年数を延長し得る。さらに、ＨＲＳＧ１２が複合サイクル発電プラント４６の二次発電機である一部の実施形態において、本明細書に開示されているシステム１０および方法５６により、１つ以上の構成要素１４、２４、２６を予熱することは、単純サイクルモードと複合サイクルモードとの間のより短時間の移行を可能にし得る。さらに、一部の実施形態において、熱交換器１６および伝達媒体２２を循環させる関連する導管／配管２３は、安価な材料から作られてもよい。したがって、このような実施形態は、熱応力に起因する損傷からＨＲＳＧ１２の１つ以上の構成要素１４、２４、２６を保護する経済性の高い解決策を提供する。
【００４３】
さらに、本明細書に説明されている材料の寸法および種類は、本発明のパラメータを規定するためのものであるが、これらは、限定的なものでは決してなく、例示的な実施形態である。多くの他の実施形態は、上記の説明を精査することによって当業者に明らかとなる。したがって、本発明の範囲は、添付の特許請求の範囲が権利を有する均等物の全範囲と共に添付の特許請求の範囲に基づいて決定されるべきである。添付の特許請求の範囲において、「を含む（ｉｎｃｌｕｄｉｎｇ）」および「その場合に（ｉｎ  ｗｈｉｃｈ）」という用語は、用語「を備える（ｃｏｍｐｒｉｓｉｎｇ）」および「その場合に（ｗｈｅｒｅｉｎ）」のそれぞれの平易な英語の同義語として使用されている。さらに、以下の特許請求の範囲において、「第１の」、「第２の」、「第３の」、「上方」、「下方」、「底部」、および「上部」などの用語は、標識として使用されているに過ぎず、その対象に数的要件または位置的要件を課すためのものではない。さらに、以下の特許請求の範囲の限定は、ミーンズプラスファンクション形式では書かれておらず、以下の特許請求の範囲の限定として明示的に、さらなる構造の欠けた機能の陳述が続く「ための手段（ｍｅａｎｓ  ｆｏｒ）」という句が使用されない限り、およびこの句が使用されるまでは、米国特許法第１１２条（ｆ）に基づいて解釈されることを意図されていない。
【００４４】
この記載された説明では、最良の態様を含めて本発明のいくつかの実施形態を開示するために、さらには、当業者が任意の装置またはシステムの作製および使用ならびに任意の組み込み方法の実行を含めて本発明の実施形態を実施することを可能にするために、例が使用されている。本発明の特許可能な範囲は、特許請求の範囲によって規定されており、また、当業者によって想到される他の例を含み得る。このような他の例は、特許請求の範囲の文言と異ならない構造的要素を有する場合または特許請求の範囲の文言と実質的に異ならない均等な構造的要素を含む場合に、特許請求の範囲内にあることを意図されている。
【００４５】
本明細書で使用される場合、単数形で記載される、語「一つの（ａ）」または「一つの（ａｎ）」の後に続く要素またはステップは、前記要素またはステップの複数形を排除していないものとして理解されるべきである（ただし、このような排除が明示的に述べられている場合を除く）。さらに、本発明の「一実施形態」への言及は、記載されている特徴を同様に含むさらなる実施形態の存在を排除するものとして解釈されることを意図するものではない。さらに、別段の明示的な規定がない限り、特定の特性を有する要素または複数の要素を「備える（ｃｏｍｐｒｉｓｉｎｇ）」、「含む（ｉｎｃｌｕｄｉｎｇ）」、または「有する（ｈａｖｉｎｇ）」実施形態は、その特性を有さないさらなるそのような要素を含んでもよい。
【００４６】
本明細書に含まれる本発明の精神および範囲から逸脱することなく、上で説明した本発明に関して、特定の変更が行われてもよいことから、添付図面に示されている上記の説明の主題のすべては、本明細書では本発明の概念を示す例としてのみ解釈されるべきであり、本発明を限定するものとして解釈されるべきではないことが意図されている。
［実施態様１］
熱回収蒸気発生器（１２）を予熱するためのシステム（１０）であって、
伝達媒体（２２）を含むタンク（１４）と、
燃焼室（２０）によって発生する燃焼排ガス（１８）の流路に配置される熱交換器（１６）であって、前記伝達媒体（２２）が、前記熱交換器（１６）を通って流れ、前記燃焼排ガス（１８）によって加熱されるように前記タンク（１４）に流体接続される熱交換器（１６）と
を備え、
前記伝達媒体（２２）が、前記熱回収蒸気発生器（１２）の１つ以上の構成要素（１４、２４、２６）を予熱するシステム（１０）。
［実施態様２］
前記伝達媒体（２２）が、自然対流および強制対流の少なくとも一方によって前記タンク（１４）と前記熱交換器（１６）との間を流れる、実施態様１に記載のシステム（１０）。
［実施態様３］
前記タンク（１４）が、蒸発器ドラムであり、前記伝達媒体（２２）が、ドラム水である、実施態様１に記載のシステム（１０）。
［実施態様４］
前記熱回収蒸気発生器（１２）の前記１つ以上の構成要素（１４、２４、２６）が、１つ以上の圧力部を含む、実施態様１に記載のシステム（１０）。
［実施態様５］
前記１つ以上の圧力部が、蒸発器（２４）および過熱器（２６）の少なくとも１つを含む、実施態様４に記載のシステム（１０）。
［実施態様６］
前記熱回収蒸気発生器（１２）が、前記１つ以上の構成要素（１４、２４、２６）が前記伝達媒体（２２）によって予熱された後に前記燃焼排ガス（１８）から熱エネルギーを回収するように構成される、実施態様１に記載のシステム（１０）。
［実施態様７］
前記熱回収蒸気発生器（１２）が、複合サイクル発電プラント（４６）の二次発電機であり、前記熱回収蒸気発生器（１２）の前記１つ以上の構成要素（１４、２４、２６）が、前記複合サイクル発電プラント（４６）が複合サイクルモードのときは前記燃焼排ガス（１８）にさらされ、前記熱回収蒸気発生器（１２）の前記１つ以上の構成要素（１４、２４、２６）が、前記複合サイクル発電プラント（４６）が単純サイクルモードのときは燃焼排ガス（１８）にさらされない、実施態様６に記載のシステム（１０）。
［実施態様８］
前記複合サイクル発電プラント（４６）が、前記単純サイクルモードのとき、バイパススタック（５０）が、流路の一部を形成し、前記燃焼排ガス（１８）が前記熱回収蒸気発生器（１２）をバイパスすることを可能にし、さらに、前記熱交換器（１６）が、前記バイパススタック（５０）に配置される、実施態様７に記載のシステム（１０）。
［実施態様９］
前記熱交換器（１６）が、前記複合サイクル発電プラント（４６）が前記複合サイクルモードのときは前記タンク（１４）から流体分離される、実施態様７に記載のシステム（１０）。
［実施態様１０］
熱回収蒸気発生器（１２）を予熱するための方法（５６）であって、
前記熱回収蒸気発生器（１２）に配置されるタンク（１４）に伝達媒体（２２）を含むステップと、
燃焼室（２０）によって発生する燃焼排ガス（１８）の流路に配置される熱交換器（１６）によって前記伝達媒体（２２）を加熱するステップであって、前記熱交換器（１６）が、前記伝達媒体（２２）が前記熱交換器（１６）を通って流れるように前記タンク（１４）に流体接続される、ステップと、
前記伝達媒体（２２）によって前記熱回収蒸気発生器（１２）の１つ以上の構成要素（１４、２４、２６）を予熱するステップと
を含む方法（５６）。
［実施態様１１］
前記伝達媒体（２２）が、自然対流および強制対流の少なくとも一方によって前記タンク（１４）と前記熱交換器（１６）との間を流れる、実施態様１０に記載の方法（５６）。
［実施態様１２］
前記タンク（１４）が、蒸発器ドラムであり、前記伝達媒体（２２）が、ドラム水である、実施態様１０に記載の方法（５６）。
［実施態様１３］
前記熱回収蒸気発生器（１２）の前記１つ以上の構成要素（１４、２４、２６）が、１つ以上の圧力部を含む、実施態様１０に記載の方法（５６）。
［実施態様１４］
前記１つ以上の圧力部が、蒸発器（２４）および過熱器（２６）の少なくとも１つを含む、実施態様１３に記載の方法（５６）。
［実施態様１５］
前記熱回収蒸気発生器（１２）が、前記燃焼排ガス（１８）から熱エネルギーを回収するように構成される、実施態様１０に記載の方法（５６）。
［実施態様１６］
前記熱回収蒸気発生器（１２）が、複合サイクル発電プラント（４６）の二次発電機であり、
複合サイクルモードで前記複合サイクル発電プラント（４６）を動作させるステップであって、前記熱回収蒸気発生器（１２）の前記１つ以上の構成要素（１４、２４、２６）が、前記燃焼排ガス（１８）にさらされるステップ、および
単純サイクルモードで前記複合サイクル発電プラント（４６）を動作させるステップであって、前記熱回収蒸気発生器（１２）の前記１つ以上の構成要素（１４、２４、２６）が、前記燃焼排ガス（１８）にさらされないステップ
をさらに含む、実施態様１５に記載の方法（５６）。
［実施態様１７］
前記複合サイクル発電プラント（４６）が、前記単純サイクルモードのとき、バイパススタック（５０）が、流路の一部を形成し、前記燃焼排ガス（１８）が前記熱回収蒸気発生器（１２）をバイパスすることを可能にし、さらに、前記熱交換器（１６）が、前記バイパススタック（５０）に配置される、実施態様１６に記載の方法（５６）。
［実施態様１８］
前記複合サイクルモードで前記複合サイクル発電プラント（４６）を動作させるステップが、
前記タンク（１４）から前記熱交換器（１６）を流体分離するステップを含む、実施態様１６に記載の方法（５６）。
［実施態様１９］
複合サイクル発電プラント（４６）の熱回収蒸気発生器（１２）を予熱するためのシステム（１０）であって、
前記熱回収蒸気発生器（１２）に配置される、ドラム水（２２）を含む蒸発器ドラム（１４）であって、前記熱回収蒸気発生器（１２）が、前記複合サイクル発電プラント（４６）が複合サイクルモードのときに、前記複合サイクル発電プラント（４６）の一次発電機（４８）によって発生する燃焼排ガス（１８）から熱エネルギーを回収するように構成される蒸発器ドラム（１４）と、
前記複合サイクル発電プラント（４６）のバイパススタック（５０）に配置される、前記蒸発器ドラム（１４）に流体接続される熱交換器（１６）と
を備え、
前記複合サイクル発電プラント（４６）が、単純サイクルモードのとき、前記ドラム水（２２）が、前記熱交換器（１６）を通って流れ、前記バイパススタック（５０）が、前記燃焼排ガス（１８）が、前記熱回収蒸気発生器（１２）をバイパスし、前記熱交換器（１６）を通って流れるドラム水（２２）を加熱することを可能にし、前記熱回収蒸気発生器（１２）の１つ以上の圧力部（１４、２４、２６）が、前記複合サイクル発電プラント（４６）が前記複合サイクルモードのときに前記１つ以上の圧力部（１４、２４、２６）が前記燃焼排ガス（１８）にさらされる前に前記ドラム水（２２）によって予熱されるシステム（１０）。
［実施態様２０］
前記熱交換器（１６）が、前記複合サイクル発電プラント（４６）が前記複合サイクルモードのときは前記蒸発器ドラム（１４）から流体分離される、実施態様１９に記載のシステム（１０）。
【符号の説明】
【００４７】
１０  システム
１２  熱回収蒸気発生器
１４  タンク
１６  熱交換器
１８  燃焼排ガス
２０  燃焼室
２２  伝達媒体
２３  導管
２４  蒸発器
２６  過熱器
２７、２９  弁
２８  熱含有媒体
３０  コントローラ
３２  プロセッサ
３３  メモリ装置
３４  ダクト
３６  作動媒体
３８  矢印
４０  ポンプ
４２、４４  通路
４６  複合サイクル発電プラント
４８  一次発電機
５０  バイパススタック
５２、５４  弁
【図１】
2017150807.tif 000003
【図２】
2017150807.tif 000004
【図３】
2017150807.tif 000005
【外国語明細書】
2017150807000001.pdf